(57)【要約】【課題】一般に使用されている乾式遮音二重床用の防振根太の遮音性能を損なうことなく、耐荷重性能を強化出来ることを特徴とする床設置用の遮音防振根太の使用方法を提供する。【解決手段】一般に使用されているＬＶＬなどの長尺材の木質系根太で、所定間隔に連設されている支持脚を供えているものを、平行に複数本使用して支持脚の位置がもう一方の根太の支持脚の粗中間位置（３本以上のときは、粗均等間隔）になるように配置することで、耐荷重性能を強化出来るものとした。【選択図】図５
2007315158.tif 000002
【特許請求の範囲】
【請求項１】
床スラブに対して防振ゴムを介して床下地を浮かして支持する乾式遮音二重床用の防振根太であって、上記防振根太を一般に使用されているＬＶＬなどの長尺材の木質系根太で所定間隔に連設されている支持脚を供えているものを、平行に複数本使用し、更に支持脚の位置がもう一方の根太の支持脚の粗中間位置（３本以上のときは、粗均等間隔）になるように配置することで、遮音性能保持と同時に耐荷重性能を強化出来ることを特徴とする床設置用の遮音防振根太の使用方法。
【発明の詳細な説明】
【技術分野】
【０００１】  本発明は、マンション等の各種建築物の床スラブ上に床下地を設置するに用いる防振根太に関する。
【背景技術】
【０００２】  この種の防振根太としては、ＬＶＬなど木質系の平行合板などの長尺材に所定間隔で多数個のナットを圧入し、そのナットに多数個の支持脚を螺装するものなど、上記支持脚にはボルト上端に高さ調整用のドライバー受けの溝と且つ下端に防振ゴムを装着しているものが知られている。【０００３】このとき木質系の平行合板などの木材は曲げ強度も弱く、支持脚の間隔を２５０〜３０３ｍｍ程度に狭めても、更に床の歪みを考慮すると、ベランダへの掃き出し部など歪み強度を要求される箇所に、遮音性能を有する防振ゴムを装着している支持脚の使用が出来ない欠陥がある。【０００４】  このとき、通常壁際には防振性能の無いゴムの支持脚を使用するため、部屋内側の床に遮音性能を有する支持脚を使用していても、壁際から固体振動音が床スラブに伝播し遮音性能を低下させる欠陥がある。【０００５】
【特許文献１】特開平１１−１６６３０９  特願２００４−２４９３４０
【発明の開示】
【発明が解決しようとする課題】
【０００６】  一般に使用されているＬＶＬなど木質系の平行合板などを使用した防振根太の、遮音性能保持と、同時に耐荷重性能を強化出来る遮音防振根太を提供する必要がある。【０００７】  一般に使用されているＬＶＬなど木質系の平行合板などを使用した防振根太に、遮音性能を有する支持脚を装着したもので実際に床組みをした状態で、耐荷重性能が財団法人ベターリビングの優良住宅部品認定基準値の局部集中荷重試験で、加圧板（８０φ）を用い、９８０Ｎ（１００Ｋｇｆ）の局部集中荷重を加えて、変位が３ｍｍ以下を満たす基準値がある。しかし、実際の居住状況に於いてはバリアフリーの観点からも床歪み段差を極力小さくする必要があり、支持脚の間隔を３０３ｍｍピッチに配置した場合でも、変位が床パネルの短辺方向で１．６９ｍｍ・長辺方向で１．８７ｍｍと性能に限界があった。
【課題を解決するための手段】
【０００８】  本発明はかかる事情に鑑みてなされたもので、一般に使用されているＬＶＬなど木質系の平行合板などを使用した防振根太を、平行に複数本抱合わせ（又は、若干離し）て使用することで、ＬＶＬ自体の曲げ強度を補完し、更に荷重を面に分散させ得ることを特徴としている。【０００９】  更に、平行に複数本抱合わせた防振根太の支持脚の位置が、一定間隔（支持脚の取付間隔は、通常概ね３０３ｍｍ又は４５０ｍｍピッチのものが多い）で複数個（例えば、長さ２，０００ｍｍのものに、７本乃至５本）の支持脚の設置された防振根太の、もう一方の防振根太の支持脚の粗中間位置（３本以上の場合は、支持脚の間隔が粗均等）になるようにスライドさせて、防振根太を設置することで、ＬＶＬ自体の曲げ強度を互いに補完し合うことが可能となり、更に支持脚が一直線上から部屋内側に二列以上の配置となり、面に荷重を分散させることが出来、局部集中荷重性能を強化出来ることを特徴としている。
本発明はこれらをそれぞれ発明の要旨とし、上記課題解決の手段とした。
【発明の効果】
【００１０】  上述したように本発明の防振根太の使用方法は、一般に使用されているＬＶＬなど木質系の平行合板などを使用した防振根太を、特別に改良することなく、ベランダへの掃き出し部など歪み強度を要求される箇所に、平行に複数本スライドさせて使用することで、簡単に施工出来ることが可能となった。【００１１】  更に、遮音性能を損なうことなく耐荷重性能を確保出来る、防振根太の使用方法となった。【００１２】  本発明は、上記課題にそって研究の結果、耐荷重性能が財団法人ベターリビングの優住宅部品認定基準値の局部集中荷重試験で、加圧板（８０φ）を用い、９８０Ｎ（１００Ｋｇｆ）の局部集中荷重を加えた結果、変位が床パネルの短辺方向で１．２７ｍｍ・長辺方向で１．７３ｍｍの性能が知見された。
【発明を実施するための最良の形態】
【００１３】    以下図面の例に従い本発明を更に具体的に説明すれば、図１においてＡ（シングル根太仕様）は一般に使用されているＬＶＬなどの木質系根太で、木質部ａに所定間隔で複数の支持脚１を備え、床レベル調整用として支持脚１の頭部を回転出来るようにドライバー受け溝２がある。【００１４】  図２においてＢ（ダブル根太仕様）は、Ａを２本スライドさせて設置させたもので、手前の木質部をｂとし、所定間隔での支持脚を３とし、床レベル調整用として支持脚３の頭部のドライバー受け溝を４として説明すれば、ａの支持脚１と支持脚１の粗中間位置になるようにｂの支持脚３を配置して使用するものとしてある。【００１５】  図３は、実際に実物の二重床を施工して耐荷重性能を測定した平面図である。ｇは床パネル（パーティクルボード・厚み２０ｍｍ）、ｈは８８ｍｍ角の木質部（厚み２０ｍｍ）の頭部を有する支持脚で、ｉは捨貼の合板で厚み１２ｍｍである。財団法人ベターリビングの優良住宅部品認定基準値の局部集中荷重試験で、加圧板（８０φ）ｃを用い、９８０Ｎ（１００Ｋｇｆ）の局部集中荷重を加えての変位（床の歪み）量の測定で、加圧位置は根太の位置から１００ｍｍ以内とし、変位の測定点は加圧板ｃの近接点の３点（ｄ．ｅ．ｆ）とし、その平均値を変位量の結果とする。【００１６】  図４は、図３のＡ根太の小口断面図で、図５はＢ根太の小口断面図である。図６はＢ根太を躯体壁ｋに寄せて床スラブｊに設置した斜視図である。図７はＢ根太の長手方向の床組みの斜視図で、測定Ｎｏ．１・Ｎｏ．２の仕様である。図８はＡ根太の支持脚間隔が３０３ｍｍピッチの長手方向の床組みの斜視図で、測定Ｎｏ．３・Ｎｏ．４の仕様である。図９はＡ根太の支持脚間隔が４５０ｍｍピッチの長手方向の床組みの斜視図で、測定Ｎｏ．５の仕様である。【００１７】局部集中荷重試験の測定結果は、次表の通りであった。
2007315158.tif 000003
Ａ根太で、支持脚間隔３０３ｍｍピッチの測定Ｎｏ．３・Ｎｏ．４の結果は平均変位（床歪み）量は、１．６９ｍｍ・１．８７ｍｍであったが、Ｂ根太での支持脚間隔４５０ｍｍピッチ根太のダブル仕様で根太をスライドさせての測定では、Ｎｏ．１・Ｎｏ．２の平均変位（床歪み）量は、１．２７ｍｍ・１．７３ｍｍとなった。
床パネルの短辺方向の比較で０．４２ｍｍ、長辺方向での比較で０．１４ｍｍと改善された。更に、Ａ根太で支持脚間隔４５０ｍｍピッチの測定Ｎｏ．５の結果は、２．７６ｍｍと大きく、Ｂ根太での１．２７ｍｍ・１．７３ｍｍと比較すると、１．４９ｍｍ・１．０３ｍｍの大差があり、Ｂ根太の使用方法の発明の有効性が証明された。【００１８】ここで注目されるべきは、上記測定に於いてＮｏ．１・Ｎｏ．２の平均変位（床歪み）量は、１．２７ｍｍ・１．７３ｍｍとなったが、その差は床パネルの短尺方向に根太を設置した場合と、長尺方向に設置した場合の差である。測定Ｎｏ．１の場合は部屋内側に配置されている支持脚ｈが、壁際より粗４５０ｍｍ位置に配置されており、測定Ｎｏ．２の場合は部屋内側に配置されている支持脚ｈが、壁際より粗６００ｍｍ位置に配置されている。即ち、際根太への荷重が床面に分散されて、部屋内側の支持脚ｈでも荷重を受けていることが判った。従って、際根太の支持脚を１本の根太に間隔を狭めて多数個設置するよりも、根太を複数本にして、更にＢ根太の隙間を開けるなどして、根太の支持脚への荷重を、部屋内側に面で受ける方が耐荷重性能が強化されることが確認され、Ｂ根太の使用方法の発明の有効性が証明された。【００１９】  図示した例は以上のとおりとしたが、本発明の実施に当って、防振根太材等の各具体的構造、形状、材質、特に材質においては木質系や金属に限らず樹脂製や軽金属などの新素材など、さらに寸法の自在など、使用状況などでデザイン性を含め様々な形態とすることができる。
【図面の簡単な説明】
【００２０】
【図１】一般に使用されているＬＶＬなどの防振根太の斜視図。
【図２】防振根太を２本スライドさせて配置した斜視図。
【図３】二重床を施工して耐荷重性能を測定した平面図。
【図４】Ａ根太（シングル根太）を配置した床組みの断面図。
【図５】Ｂ根太（ダブル根太）を配置した床組みの断面図。
【図６】Ｂ根太を躯体壁ｋに寄せて床スラブｊに設置した斜視図。
【図７】Ｂ根太で床組みした、根太長手方向の斜視図。
【図８】Ａ根太（支持脚間隔３０３ｍｍｍピッチ）で床組みした根太長手方向の斜視図。
【図９】Ａ根太（支持脚間隔４５０ｍｍピッチ）で床組みした根太長手方向の斜視図。
【符号の説明】
【００２１】  Ａ  一般に使用されている防振根太の斜視図
Ｂ  防振根太を２本スライドさせて配置した斜視図
１  防振根太の支持脚
２  ドライバー受け溝
３  スライドして配置した防振根太の支持脚
４  スライドして配置した防振根太のドライバー受け溝
ａ  防振根太の木質部
ｂ  スライドして配置した防振根太の木質部
ｃ  加圧板（８０φ）
ｄ．ｅ．ｆ  測定点３点
ｇ  床パネル
ｈ  部屋内の支持脚
ｉ  捨貼合板
ｊ  床スラブ
ｋ  躯体壁
【図１】
2007315158.tif 000004
【図２】
2007315158.tif 000005
【図３】
2007315158.tif 000006
【図４】
2007315158.tif 000007
【図５】
2007315158.tif 000008
【図６】
2007315158.tif 000009
【図７】
2007315158.tif 000010
【図８】
2007315158.tif 000011
【図９】
2007315158.tif 000012